(57)【要約】【課題】連続した印刷媒体への印刷の品質に影響を与えない範囲で加減速時に発生する無駄紙を抑制する印刷制御装置及びプログラムを提供する。【解決手段】印刷制御装置は、連続した印刷媒体の搬送速度を加速して少なくとも定速状態になった区間に印刷媒体に印刷データを印刷する印刷装置を制御する印刷制御装置であって、予め定められた第１の場合に、区間の前後の搬送速度の加速中又は減速中においても印刷を行う特定のモードを実行するよう制御する制御手段、を備える。【選択図】図５
2019098665.tif 000002
【特許請求の範囲】
【請求項１】
連続した印刷媒体の搬送速度を加速して少なくとも定速状態になった区間に前記印刷媒体に印刷データを印刷する印刷装置を制御する印刷制御装置であって、
予め定められた第１の場合に、前記区間の前後の搬送速度の加速中又は減速中においても印刷を行う特定のモードを実行するよう制御する制御手段、
を備えた印刷制御装置。
【請求項２】
前記第１の場合は、前記印刷データのうち先頭側のデータに要求される印刷品質が前記先頭側以外の他のデータに要求される印刷品質よりも低い場合である、
請求項１に記載の印刷制御装置。
【請求項３】
前記先頭側のデータは、予め定められたパターンを有するデータである、
請求項２に記載の印刷制御装置。
【請求項４】
前記制御手段は、前記先頭側のデータの長さに基づいて、加速中に印刷を開始する速度を決定して前記特定のモードを実行するよう制御する、
請求項２又は３に記載の印刷制御装置。
【請求項５】
連続した印刷媒体の搬送速度を加速して少なくとも定速状態になった区間に前記印刷媒体に印刷データを印刷する印刷装置を制御する印刷制御装置であって、
予め定められた第２の場合に、前記区間の前後の搬送速度の加速中又は減速中においても印刷を行う特定のモードの実行を禁止するよう制御する制御手段、
を備えた印刷制御装置。
【請求項６】
前記第２の場合は、受け付けられた印刷種別が印刷品質を確認するための調整印刷の場合である、
請求項５に記載の印刷制御装置。
【請求項７】
前記第２の場合は、要求として受け付けられた印刷品質が高品質の場合である、
請求項５に記載の印刷制御装置。
【請求項８】
連続した印刷媒体の搬送速度を加速して少なくとも定速状態になった区間に前記印刷媒体に印刷データを印刷する印刷装置を制御する印刷制御装置であって、
予め定められた第１の場合に、前記区間の前後の搬送速度の加速中又は減速中においても印刷を行う特定のモードを実行するよう制御し、予め定められた第２の場合に、前記特定のモードの実行を禁止するよう制御する制御手段、
を備えた印刷制御装置。
【請求項９】
前記印刷データのうち先頭側のデータに要求される印刷品質が前記先頭側以外の他のデータに要求される印刷品質よりも低い場合は、前記第２の場合に該当する場合であっても、前記制御手段は、前記特定のモードを実行するよう制御する、
請求項８に記載の印刷制御装置。
【請求項１０】
前記制御手段は、受け付けられた前記搬送速度に関する値に基づいて、前記特定のモードを実行する際に、前記印刷媒体の搬送速度を制御する、
請求項１から９のいずれか１項に記載の印刷制御装置。
【請求項１１】
前記制御手段は、前記特定のモードで印刷を開始した後は前記搬送速度の変更を受け付けないよう制御するか、又は受け付けても無効とするよう制御する、
請求項１０に記載の印刷制御装置。
【請求項１２】
連続した印刷媒体の搬送速度を加速して少なくとも定速状態になった区間に前記印刷媒体に印刷データを印刷する印刷装置を制御するコンピュータを、
予め定められた第１の場合に、前記区間の前後の搬送速度の加速中又は減速中においても印刷を行う特定のモードを実行するよう制御する制御手段、
として機能させるためのプログラム。
【請求項１３】
連続した印刷媒体の搬送速度を加速して少なくとも定速状態になった区間に前記印刷媒体に印刷データを印刷する印刷装置を制御するコンピュータを、
予め定められた第２の場合に、前記区間の前後の搬送速度の加速中又は減速中においても印刷を行う特定のモードの実行を禁止するよう制御する制御手段、
として機能させるためのプログラム。
【発明の詳細な説明】
【技術分野】
【０００１】
本発明は、印刷制御装置及びプログラムに関する。
【背景技術】
【０００２】
近年、各ページに対する印刷処理時間を可能な限り短縮するようにした画像形成装置が提案されている（例えば、特許文献１参照。）。
【０００３】
特許文献１に記載された画像形成装置は、入力される印刷情報に基づいて記録媒体上に印刷を行う印刷手段と、記録媒体を給紙する給送手段と、給送手段を駆動する駆動手段と、ページ内の余白域を検知する検知手段と、印刷手段が印刷する同一ページの印刷中に、検知された余白域では駆動手段の駆動を加速させる制御部とを備える。
【先行技術文献】
【特許文献】
【０００４】
【特許文献１】特開平９−３１４９３３号公報
【発明の概要】
【発明が解決しようとする課題】
【０００５】
本発明の課題は、連続した印刷媒体への印刷の品質に影響を与えない範囲で加減速時に発生する無駄紙を抑制する印刷制御装置及びプログラムを提供することにある。
【課題を解決するための手段】
【０００６】
［１］連続した印刷媒体の搬送速度を加速して少なくとも定速状態になった区間に前記印刷媒体に印刷データを印刷する印刷装置を制御する印刷制御装置であって、
予め定められた第１の場合に、前記区間の前後の搬送速度の加速中又は減速中においても印刷を行う特定のモードを実行するよう制御する制御手段、を備えた印刷制御装置。
［２］前記第１の場合は、前記印刷データのうち先頭側のデータに要求される印刷品質が前記先頭側以外の他のデータに要求される印刷品質よりも低い場合である、前記［１］に記載の印刷制御装置。
［３］前記先頭側のデータは、予め定められたパターンを有するデータである、前記［２］に記載の印刷制御装置。
［４］前記制御手段は、前記先頭側のデータの長さに基づいて、加速中に印刷を開始する速度を決定して前記特定のモードを実行するよう制御する、前記［２］又は［３］に記載の印刷制御装置。
［５］連続した印刷媒体の搬送速度を加速して少なくとも定速状態になった区間に前記印刷媒体に印刷データを印刷する印刷装置を制御する印刷制御装置であって、
予め定められた第２の場合に、前記区間の前後の搬送速度の加速中又は減速中においても印刷を行う特定のモードの実行を禁止するよう制御する制御手段、を備えた印刷制御装置。
［６］前記第２の場合は、受け付けられた印刷種別が印刷品質を確認するための調整印刷の場合である、前記［５］に記載の印刷制御装置。
［７］前記第２の場合は、要求として受け付けられた印刷品質が高品質の場合である、前記［５］に記載の印刷制御装置。
［８］連続した印刷媒体の搬送速度を加速して少なくとも定速状態になった区間に前記印刷媒体に印刷データを印刷する印刷装置を制御する印刷制御装置であって、
予め定められた第１の場合に、前記区間の前後の搬送速度の加速中又は減速中においても印刷を行う特定のモードを実行するよう制御し、予め定められた第２の場合に、前記特定のモードの実行を禁止するよう制御する制御手段、を備えた印刷制御装置。
［９］前記印刷データのうち先頭側のデータに要求される印刷品質が前記先頭側以外の他のデータに要求される印刷品質よりも低い場合は、前記第２の場合に該当する場合であっても、前記制御手段は、前記特定のモードを実行するよう制御する、前記［８］に記載の印刷制御装置。 
［１０］前記制御手段は、受け付けられた前記搬送速度に関する値に基づいて、前記特定のモードを実行する際に、前記印刷媒体の搬送速度を制御する、前記［１］から［９］のいずれかに記載の印刷制御装置。
［１１］前記制御手段は、前記特定のモードで印刷を開始した後は前記搬送速度の変更を受け付けないよう制御するか、又は受け付けても無効とするよう制御する、前記［１０］に記載の印刷制御装置。
［１２］連続した印刷媒体の搬送速度を加速して少なくとも定速状態になった区間に前記印刷媒体に印刷データを印刷する印刷装置を制御するコンピュータを、
予め定められた第１の場合に、前記区間の前後の搬送速度の加速中又は減速中においても印刷を行う特定のモードを実行するよう制御する制御手段、として機能させるためのプログラム。
［１３］連続した印刷媒体の搬送速度を加速して少なくとも定速状態になった区間に前記印刷媒体に印刷データを印刷する印刷装置を制御するコンピュータを、
予め定められた第２の場合に、前記区間の前後の搬送速度の加速中又は減速中においても印刷を行う特定のモードの実行を禁止するよう制御する制御手段、として機能させるためのプログラム。
【発明の効果】
【０００７】
請求項１、５、８、１２、１３に係る発明によれば、連続した印刷媒体への印刷の品質に影響を与えない範囲で加減速時に発生する無駄紙を抑制することができる。
請求項２、３に係る発明によれば、印刷データの先頭側に印刷品質が他のデータに要求される印刷品質よりも低いデータを挿入することで、特定のモードを実行させることができる。
請求項４に係る発明によれば、先頭側のデータの長さに応じた印刷開始速度で印刷を開始することができる。
請求項６、７に係る発明によれば、高品質が要求される印刷種別や印刷品質を指定することで、特定のモードの実行を禁止させることができる。
請求項９に係る発明によれば、第１の場合と第２の場合が競合した場合に第１の場合を優先させることができる。
請求項１０に係る発明によれば、搬送速度に関する値を指定することにより印刷媒体の搬送速度を制御することができる。
請求項１１に係る発明によれば、特定のモードに対する制御への外乱を抑制することができる。
【図面の簡単な説明】
【０００８】
【図１】図１は、本発明の実施の形態に係る画像形成装置の概略の構成例を示す図である。
【図２】図２は、コントローラの制御系の一例を示すブロック図である。
【図３】図３は、印刷設定画面の一例を示す図である。
【図４】図４は、警告画面の一例を示す図である。
【図５】図５は、速度パターンと印刷タイミンの一例を示す図である。
【図６】図６は、コントローラの動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本発明の実施の形態に係る印刷制御装置は、連続した印刷媒体の搬送速度を加速して少なくとも定速状態になった区間に印刷媒体に印刷データを印刷する印刷装置を制御する印刷制御装置であって、予め定められた第１の場合に、上記区間の前後の搬送速度の加速中又は減速中においても印刷を行う特定のモードを実行するよう制御する制御手段、を備える。
【００１１】
「定速状態になった区間」とは、印刷媒体を定速で搬送している区間をいう。
【００１２】
［実施の形態］
図１は、本発明の実施の形態に係る画像形成装置の概略の構成例を示す図である。この画像形成装置２００は、長尺状の連帳紙Ｐを給紙する給紙ユニット２０１と、給紙ユニット２０１から給紙された連帳紙Ｐに画像を形成する本体ユニット２１０と、画像が形成された連帳紙Ｐが巻き取られて後処理が行われる後処理ユニット２０２とを備える。連帳紙Ｐは、連続した印刷媒体の一例である。
【００１３】
画像形成装置２００は、例えば、インクにより画像を形成するインクジェット方式の装置である。なお、画像形成装置２００は、トナーにより画像を形成する電子写真方式等の他の方式による装置でもよい。
【００１４】
給紙ユニット２０１は、連帳紙Ｐが巻き付けられた給紙ロール２０１ａを備え、給紙ロール２０１ａから印刷用紙として連帳紙Ｐを本体ユニット２１０に供給するものである。連帳紙Ｐは、搬送機構２１２により図１の矢印Ａ方向（用紙搬送方向）に搬送されるようになっている。
【００１５】
搬送機構２１２は、給紙ユニット２０１、後処理ユニット２０２及び本体ユニット２１０の各部に配置された搬送ロール２２０と、搬送ロール２２０を回転させるモータと、モータを駆動する駆動回路とを備える。
【００１６】
後処理ユニット２０２は、本体ユニット２１０で印刷済みの連帳紙Ｐを受け取って予め定められた後処理を行うものである。後処理ユニット２０２は、例えば、連帳紙Ｐを巻き取る巻取りロール２０２ａ、印刷済みの連帳紙Ｐを折り畳む折り機、印刷済みの連帳紙Ｐを予め定められた長さにカットするカッター、印刷された用紙にステープル処理を施すステープル機、印刷された用紙に穴あけ処理を施す穴あけ機等を備える。
【００１７】
本体ユニット２１０は、用紙搬送方向Ａの上流から下流に向かって、イエロ（Ｙ）、マゼンタ（Ｍ）色、シアン（Ｃ）色、黒（Ｋ）色のインクをそれぞれ吐出するインクジェットヘッド２１１Ｙ、２１１Ｍ、２１１Ｃ、２１１Ｋと、インクジェットヘッド２１１Ｙ、２１１Ｍ、２１１Ｃ、２１１Ｋを駆動するヘッド駆動部とを有するヘッド部２１１が配置されている。
【００１８】
本体ユニット２１０は、調整用のパターンを読み取る読取部と、読取部の読取結果に応じて調整する調整部とを備える。
【００１９】
また、本体ユニット２１０には、連帳紙Ｐを乾燥させる乾燥機２１３が設けられている。乾燥機２１３は、ヒータを内蔵した加熱ロールと、加熱ロールの温度を検出する温度センサとを備える。連帳紙Ｐに形成されたインクによる画像は、乾燥機２１３により加熱されて定着される。乾燥機２１３は、温度センサにより検出した温度を後述するコントローラ１０に定期的に送信するようになっている。
【００２０】
また、本体ユニット２１０には、画像形成装置２００の各部を制御するコントローラ１０と、ユーザの操作を受け付けるとともに、情報を表示する操作表示部１３とが設けられている。コントローラ１０は、ヘッド部２１１、搬送機構２１２及び乾燥機２１３、読取部、調整部等を制御する。コントローラ１０は、印刷指示装置の一例である。コントローラ１０及び操作表示部１３を除く本体ユニット２１０、給紙ユニット２０１及び後処理ユニット２０２は、印刷装置の一例である。
【００２１】
操作表示部１３は、例えば、液晶ディスプレイ等の表示部にタッチパネルが重合配置されたタッチパネルディスプレイを有する。なお、操作表示部１３は、液晶ディスプレイ等の表示部と、キーボード等の入力部とが別々に構成されたものでもよい。
【００２２】
（コントローラの構成）
図２は、コントローラ１０の制御系の一例を示すブロック図である。コントローラ１０は、画像形成装置２００の各部を制御する制御部１１と、各種の情報を記憶する記憶部１２とを備える。なお、コントローラ１０は、画像形成装置２００から抜き出してプリントサーバ等により構成してもよい。
【００２３】
コントローラ１０は、定速印刷及び加速印刷のモードを有している。「定速印刷」は、連帳紙Ｐを定速Ｖｃ（図５参照）で搬送することが予定されている区間（以下、「定速印刷区間」ともいう。）に印刷するモードである。「加速印刷」は、定速印刷区間、及び当該区間の前後の搬送速度の加速中及び減速中に印刷するモードである。なお、当該区間の他、加速中及び減速中の一方のみに印刷してもよい。加速印刷は、特定のモードの一例である。
【００２４】
制御部１１は、ＣＰＵ（Central Processing Unit）、インターフェース等から構成されている。ＣＰＵは、プログラム１２０に従って動作することにより受付手段１１０、ジョブ解析手段１１１、データ展開手段１１２、データ出力手段１１３、加速印刷判定手段１１４、搬送速度制御手段１１５等として機能する。各手段１１０〜１１５の詳細は後述する。
【００２５】
記憶部１２は、ＲＯＭ（Read Only Memory）、ＲＡＭ（Random Access Memory）、ハードディスク等から構成され、プログラム１２０、出力キュー１２１、印刷設定情報１２２、加速印刷判定情報１２３等が記憶されている。
【００２６】
出力キュー１２１は、生成された印刷データを順次蓄積する。出力キュー１２１は、例えば、先入れ先出しにより印刷データを入出力するＦＩＦＯ（First In First Out）メモリによって構成されている。
【００２７】
印刷設定情報１２２は、操作表示部１３に表示された印刷設定画面１３０（図３参照）に対して設定された情報である。印刷設定情報１２２には、加速印刷（ＯＫ／ＮＧ）、印刷種別（通常印刷／調整印刷）、印刷品質（普通／高品質）、印刷速度設定の内容（印刷開始速度、加速度、定速時印刷速度）等が含まれる。ここで、「調整印刷」とは、読取部に読み取られた後、調整部で調整するための調整用のパターンを印刷することをいう。調整印刷では、例えば、画像濃度や位置ずれ等を調整するため、連続紙Ｐに調整用の画像（パッチ）が印刷される。
【００２８】
加速印刷判定情報１２３は、加速印刷判定手段１１４により加速印刷が可能か否かを判定する際に参照される。加速印刷判定情報１２３は、印刷データのうち先頭側のデータに要求される印刷品質が先頭側以外のデータに要求される印刷品質よりも低い場合に、当該先頭側のデータを特定する情報、例えば、高画質が要求されないページ数、画像パターン（例えば、調整用のカラーバー、後処理ユニット２０２の同期用マーク）、又は解像度（例えば、２００ｄｐｉ以下）等を含む。なお、加速印刷判定情報１２３は、これらの情報に限られない。調整用のカラーバー及び同期用マークは、予め定められたパターンの一例である。
【００２９】
受付手段１１０は、図示しないパーソナルコンピュータ（ＰＣ）等の外部装置から印刷ジョブを受け付ける。また、受付手段１１０は、操作表示部１３に表示された印刷設定画面１３０（図３参照）に対して設定された印刷設定情報１２２を受け付ける。印刷ジョブには、印刷対象の画像データと、画像データに対する印刷設定情報とが含まれている。印刷設定情報には、加速印刷（ＯＫ／ＮＧ）、印刷種別（通常印刷／調整印刷）、印刷品質（普通／高品質）、印刷速度設定の内容（印刷開始速度、加速度、定速時印刷速度）、後処理の内容等が含まれる。なお、印刷ジョブの印刷設定情報と操作表示部１３により設定された印刷設定情報１２２とが競合した場合は、予め定められた方を優先する。印刷ジョブは、印刷指示の一例である。なお、受付手段１１０は、印刷ジョブから生成された中間データを受け付けてもよい。中間データも印刷指示の一例である。
【００３０】
ジョブ解析手段１１１は、印刷ジョブに含まれる印刷設定情報を解析する。また、ジョブ解析手段１１１は、印刷ジョブに含まれる画像データを構成する、文字、図形、写真等のオブジェクトの種別を解析する。
【００３１】
データ展開手段１１２は、ベクターデータからなる画像データをラスターデータからなる印刷データに変換するＲＩＰ（Raster Image Processor）処理を行う。データ展開手段１１２は、印刷データを出力キュー１２１に順次出力する。
【００３２】
データ出力手段１１３は、搬送制御手段１１５から出力指示があると、出力キュー１２１に蓄積された印刷データの出力を開始し、出力キュー１２１に蓄積された印刷データをヘッド部２１１に順次出力する。
【００３３】
加速印刷判定手段１１４は、印刷データの先頭側のデータが加速印刷判定情報１２３に該当するか否かを判定する。加速印刷判定手段１１４は、印刷ジョブ解析手段１１１による解析結果と、記憶部１２に記憶された印刷設定情報１２２及び加速印刷判定情報１２３と、印刷データのうち先頭側のデータに対する上記判定結果とに基づいて、加速印刷が可能か否か等を判定する。
【００３４】
加速印刷判定手段１１４は、例えば、以下のいずれかの場合に加速印刷ができないと判定する。以下の場合は、第２の場合の一例である。
（ａ）加速印刷に対してＮＧが設定されている場合
（ｂ）印刷種別が調整印刷の場合
（ｃ）印刷品質が高品質の場合
【００３５】
加速印刷判定手段１１４は、例えば、以下のいずれかの場合に加速印刷ができると判定する。以下の場合は、第１の場合の一例である。
（ｉ）加速印刷に対してＯＫが設定されている場合
（ｉｉ）印刷種別が通常印刷の場合
（ｉｉｉ）印刷品質が普通の場合
（ｉｖ）印刷データのうち先頭側のデータが加速印刷判定情報１２３に該当する場合
なお、上記（ｂ）、（ｃ）に該当する場合であっても、上記（ｉｖ）に該当する場合は、加速印刷ができると判定する。なお、加速印刷（ＯＫ／ＮＧ）の代わりに無駄紙防（ＯＫ／ＮＧ）が設定できるようにしてもよい。
【００３６】
搬送速度制御手段１１５は、上記（ｉｖ）の場合に、加速印刷判定手段１１４により判定された先頭側のデータの長さ、すなわち加速印刷が可能な長さＬを算出する。また、搬送速度制御手段１１５は、例えば、加速印刷が可能な長さＬ、定速時印刷速度Ｖｃ（予め定められた値、又は図５で入力された値）、及び定速Ｖｃ（図５参照）に達するまでの時間ｔｃ（予め定められた値）から、印刷開始速度Ｖ１を算出する（図５参照）。なお、このとき印刷開始までの時間ｔ１（図５参照）も算出してもよい。また、他のパラメータから印刷開始速度を算出してもよい。
【００３７】
搬送速度制御手段１１５は、加速印刷判定手段１１４により加速印刷ができると判定された場合は、加速印刷を行うよう制御する。すなわち、搬送速度制御手段１１５は、算出した印刷開始速度Ｖ１に搬送速度が達したときに印刷を開始するようデータ出力手段１１３に出力指示をする。搬送速度制御手段１１５は、加速印刷判定手段１１４により加速印刷ができると判定された場合は、定速印刷を行うよう制御する。すなわち、搬送速度制御手段１１５は、搬送速度が定速Ｖｃ（図５参照）に達したときに印刷を開始するようデータ出力手段１１３に出力指示をする。
【００３８】
図３は、操作表示部１３に表示された印刷設定画面１３０の一例を示す図である。なお、図３に示す印刷設定画面１３０は、ディフォルトの状態を示す。印刷設定画面１３０には、ＯＫ又はＮＧが選択可能な「加速印刷」の項目１３１と、通常印刷又は調整印刷が選択可能な「印刷種別」の項目１３２と、普通又は高品質が選択可能な「印刷品質」の項目１３３と、「印刷速度設定」の項目１３４と、各項目１３１〜１３４の内容を選択するためのラジオボタン１３５と、選択内容を確定するための「ＯＫ」ボタン１３６と、選択内容を取り消すための「キャンセル」ボタン１３７とが設けられている。「印刷速度設定」の項目１３４が選択された場合は、印刷開始速度、加速度、定速時印刷速度に対応して入力された数値が有効になる。
【００３９】
各項目１３１〜１３４の内容を選択し、「ＯＫ」ボタン１３６を操作することにより、受付手段１１０は、選択内容を印刷設定情報１２２として記憶部１２に記憶する。搬送速度制御手段１１５は、「印刷速度設定」の項目１３４で入力された値に基づいて、搬送機構２１２を制御する。搬送速度制御手段１１５は、入力された印刷開始速度が算出した印刷開始速度Ｖ１より小さい場合は、算出した印刷開始速度Ｖ１を優先させる。搬送速度制御手段１１５は、加速印刷のモードで印刷を開始した後は搬送速度の変更を受け付けないよう制御するか、又は受け付けても無効とするよう制御する。
【００４０】
（実施の形態の動作）
次に、画像形成装置２００の動作の一例について図４から図６を参照して説明する。図５は、速度パターンと印刷のタイミンの一例を示す図である。図６は、コントローラ１０の動作の一例を示すフローチャートである。
【００４１】
受信手段１１０は、ＰＣ（パーソナルコンピュータ）等の外部装置から送信された印刷ジョブを受信すると（Ｓ１）、ジョブ解析手段１１１は、印刷設定情報１２２を記憶部１２から取得し、印刷ジョブを解析する（Ｓ２）。
【００４２】
データ展開手段１１２は、ベクターデータからなる画像データをラスターデータからなる印刷データに変換するＲＩＰ処理を行い、印刷データを出力キュー１２１に順次出力する。データ出力手段１１３は、搬送速度制御手段１１５からの出力指示に基づいて、出力キュー１２１から印刷データを順次取り出してヘッド部２１１に出力する。ヘッド部２１１の駆動部は、印刷データに基づいてインクジェットヘッド２１１Ｙ、２１１Ｍ、２１１Ｃ、２１１Ｋを駆動し、インクジェットヘッド２１１Ｙ、２１１Ｍ、２１１Ｃ、２１１Ｋからインクを吐出させ、連帳紙Ｐ上に画像を形成する。その後、連帳紙Ｐは搬送機構２１２によって搬送され、乾燥機２１３による乾燥によりインクが連帳紙Ｐに定着され、後処理ユニット２０２に搬送され、後処理が施される。
【００４３】
加速印刷判定手段１１４は、前述した判定基準に従い、加速印刷が可能か否かを判断する（Ｓ３）。
【００４４】
加速印刷が可能と判定した場合は（Ｓ３：Ｙｅｓ）、搬送速度制御手段１１５は、加速印刷が可能な距離を算出し（Ｓ４）、印刷開始速度Ｖ１を算出する（Ｓ５）。搬送速度制御手段１１５は、加速印刷するよう制御する（Ｓ６）。すなわち、搬送速度制御手段１１５は、算出した印刷開始速度Ｖ１に搬送速度が達したときに印刷を開始するようデータ出力手段１１３に出力指示をする。加速印刷することで、定速印刷の場合と比べて加速時に発生する無駄紙を抑制することができる。
【００４５】
上記ステップＳ３において、加速印刷が可能と判定できない場合は（Ｓ３：Ｎｏ）、搬送速度制御手段１１５は、操作表示部１３に警告画面を表示するよう制御する（Ｓ７）。
【００４６】
図４は、操作表示部１３に表示された警告画面の一例を示す図である。警告画面１４０には、「加速印刷できません。印刷を継続する場合は「印刷継続」ボタンを、キャンセルする場合は「キャンセル」ボタンを選択して下さい。」のメッセージ１４１と、「印刷継続」ボタン１４２と、「キャンセル」ボタン１４３とが設けられている。
【００４７】
警告画面１４０に対して「印刷継続」ボタン１４２が操作されると（Ｓ８：Ｙｅｓ）、搬送速度制御手段１１５は、定速印刷を行うよう制御する（Ｓ９）。搬送速度制御手段１１５は、加速印刷判定手段１１４により加速印刷ができると判定された場合は、搬送速度が定速Ｖｃ（図５参照）に達したときに印刷を開始するようデータ出力手段１１３に出力指示をする。「キャンセル」ボタン１４３が操作されると（Ｓ８：Ｎｏ）、印刷せずに終了する。
【００４８】
図５は、速度パターンと連帳紙Ｐへの印刷タイミングの一例を示す図である。図５において、Ｓａは加速区間、Ｓｃは定速印刷区間、Ｓｒは減速区間である。Ｖ１は加速時の印刷速度、Ｖｃは定速印刷区間Ｓｃにおける速度（定速ともいう。）である。例えば、印刷データのうち先頭側のデータが加速印刷判定情報１２３に該当する場合、搬送速度制御手段１１５は、先頭側のデータの長さＬを算出し、例えば、先頭側のデータの長さＬ、定速時の速度Ｖｃ、及び定速Ｖｃに達するまでの時間ｔｃから、印刷開始速度Ｖ１を算出する。同図に示す加速印刷では、搬送速度が印刷開始速度Ｖ１に達すると、印刷が開始し、定速印刷区間Ｓｃが終了すると、印刷が終了する。
【００４９】
以上、本発明の実施の形態を説明したが、本発明の実施の形態は上記実施の形態に限定されるものではなく、本発明の要旨を変更しない範囲内で種々の変形、実施が可能である。例えば、上記実施の形態の加速印刷では、加速区間Ｓａの途中から印刷を開始したが、加速区間Ｓａでは印刷を行わずに定速印刷区間で印刷を行った後、引き続き減速区間Ｓｒに入っても印刷を行ってもよい。また、加速区間Ｓａの一部、定速印刷区間及び減速区間Ｓｒの一部でも印刷を行ってもよい。
【００５０】
制御部１１の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００５１】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００５２】
１０…コントローラ、１１…制御部、１２…記憶部、１３…操作表示部、１１０…受信手段、１１１…ジョブ解析手段、１１２…データ展開手段、１１３…データ出力手段、１１４…加速印刷判定手段、１１５…搬送速度制御手段、１２０…プログラム、１２１…出力キュー、１２２…印刷設定情報、１２３…加速印刷判定情報、１３０…印刷設定画面、１３１〜１３４…項目、１３５…ラジオボタン、１３６…「ＯＫ」ボタン、１３７…「キャンセル」ボタン、１４０…警告画面、１４１…メッセージ、１４２…「印刷継続」ボタン、１４３…「キャンセル」ボタン、２００…画像形成装置、２０１…給紙ユニット、２０１ａ…給紙ロール、２０２…後処理ユニット、２０２ａ…巻取りロール、２１０…本体ユニット、２１１…ヘッド部、２１１Ｙ、２１１Ｍ、２１１Ｃ、２１１Ｋ…インクジェットヘッド、２１２…搬送機構、２１３…乾燥機、２２０…搬送ロール、Ａ…用紙搬送方向、Ｐ…連帳紙
【図１】
2019098665.tif 000003
【図２】
2019098665.tif 000004
【図３】
2019098665.tif 000005
【図４】
2019098665.tif 000006
【図５】
2019098665.tif 000007
【図６】
2019098665.tif 000008